(57)【要約】【課題】吸水ホースを、螺旋状に配置されたガイド体に沿わせて巻回支持体の外周面に一重に巻回すること。【解決手段】ホースリールは、消防用ポンプの吸入口に接続した中空の回動支軸と、同回動支軸を中心に吸水ホースを巻回した状態にて支持する巻回支持体と、同巻回支持体の外周面に沿って螺旋状に配置したガイド体と、同ガイド体にガイドされて回動支軸と平行にスライドするスライド体とを具備し、スライド体にホース導出・入ガイド片を設けて、同ホース導出・入ガイド片を介して吸水ホースをガイド体に沿わせて導出・入するようにした。【選択図】        図１
2004202095.tif 000002
【特許請求の範囲】
【請求項１】
吸水ホースを巻き取り・繰り出し自在としたホースリールを装備する消防自動車において、
ホースリールは、消防用ポンプの吸入口に接続した中空の回動支軸と、同回動支軸を中心に吸水ホースを巻回した状態にて支持する巻回支持体と、同巻回支持体の外周面に沿って螺旋状に配置したガイド体と、同ガイド体にガイドされて回動支軸と平行にスライドするスライド体とを具備し、
スライド体にホース導出・入ガイド片を設けて、同ホース導出・入ガイド片を介して吸水ホースをガイド体に沿わせて導出・入するようにしたことを特徴とする消防自動車のホースリール。
【請求項２】
ガイド体は、巻回支持体の外周面に沿って螺旋状に配置すると共に、同ガイド体には部分的に螺旋の傾斜角を大きく形成した巻回路変更部を形成して、同巻回路変更部を介して吸水ホースを巻回支持体の外周面に一重の螺旋状に巻回するようにしたことを特徴とする請求項１記載の消防自動車のホースリール。
【発明の詳細な説明】
【０００１】
【発明の属する技術分野】
本発明は、消防自動車のホースリールに関する。
【０００２】
【従来の技術】
従来、消防自動車の一形態として、吸水ホースを巻き取り・繰り出し自在としたホースリールを装備したものがある。
【０００３】
そして、ホースリールの一形態として、水平方向に軸線を向けた回動支軸と、同回動支軸を中心に吸水ホースを巻回した状態にて支持する巻回支持体と、同巻回支持体の外周面に巻回した吸水ホースの導出・入を案内するホース導出・入案内体とを具備したものがある（例えば、特許文献１参照）。
【０００４】
【特許文献１】
特開平９−１１００９７号公報
【０００５】
【発明が解決しようとする課題】
ところが、ホース導出・入案内体は、所定の位置に固定されているために、同ホース導出・入案内体を通して吸水ホースを巻回支持体に巻き取る際に、同吸水ホースが二重に巻回されて、巻回された吸水ホースの外径が大きくなり、その結果、巻き取られる吸水ホースがホース収納室の天井部や床部に干渉するという不具合がある。
【０００６】
そのために、ホースリールの巻き取り回動操作をする作業者と、巻き取られる吸水ホースが二重に巻回されないように補助して、吸水ホースが一重に巻回されるようにする補助作業者の少なくとも二人の作業者を必要としている。
【０００７】
【課題を解決するための手段】
そこで、本発明では、吸水ホースを巻き取り・繰り出し自在としたホースリールを装備する消防自動車において、ホースリールは、消防用ポンプの吸入口に接続した中空の回動支軸と、同回動支軸を中心に吸水ホースを巻回した状態にて支持する巻回支持体と、同巻回支持体の外周面に沿って螺旋状に配置したガイド体と、同ガイド体にガイドされて回動支軸と平行にスライドするスライド体とを具備し、スライド体にホース導出・入ガイド片を設けて、同ホース導出・入ガイド片を介して吸水ホースをガイド体に沿わせて導出・入するようにしたことを特徴とする消防自動車のホースリールを提供するものである。
【０００８】
また、本発明は、ガイド体は、巻回支持体の外周面に沿って螺旋状に配置すると共に、同ガイド体には部分的に螺旋の傾斜角を大きく形成した巻回路変更部を形成して、同巻回路変更部を介して吸水ホースを巻回支持体の外周面に一重の螺旋状に巻回するようにしたことにも特徴を有する。
【０００９】
【発明の実施の形態】
以下に、本発明の実施の形態について説明する。
【００１０】
すなわち、本発明に係るホースリールは、消防用ポンプの吸入口に接続した中空の回動支軸と、同回動支軸を中心に吸水ホースを巻回した状態にて支持する巻回支持体と、同巻回支持体の外周面に沿って螺旋状に配置したガイド体と、同ガイド体にガイドされて回動支軸と平行にスライドするスライド体とを具備し、スライド体にホース導出・入ガイド片を設けて、同ホース導出・入ガイド片を介して吸水ホースをガイド体に沿わせて導出・入するようにしている。
【００１１】
そして、ガイド体は、巻回支持体の外周面に沿って螺旋状に配置すると共に、同ガイド体には部分的に螺旋の傾斜角を大きく形成した巻回路変更部を形成して、同巻回路変更部を介して吸水ホースを巻回支持体の外周面に一重の螺旋状に巻回するようにしている。
【００１２】
【実施例】
以下に、本発明の実施例を、図面を参照しながら説明する。
【００１３】
図1は、本発明に係るホースリールＲを具備する消防自動車Ａの後半部の側面図、図２は、同消防自動車Ａの背面図である。
【００１４】
消防自動車Ａは、図１及び図２に示すように、車体フレーム１の前部に運転部２を設けると共に、後部に消防機能部３を設け、車体フレーム１の下方の前部に前車輪（図示せず）を設けると共に、後部に後車輪４を設けている。
【００１５】
そして、消防機能部３には、前部に消防ポンプ（図示せず）を収容したポンプ室５を設け、後部に本発明に係るホースリールＲを収容したホースリール室６を設けている。７は、ポンプ室５の側壁に設けた操作部、８は、ホースリール室６を側方から開閉するための観音扉である。
【００１６】
ホースリールＲは、図３〜図５に示すように、前記消防用ポンプの吸入口に接続した中空の回動支軸10を左右方向に軸線を向けて配設し、同回動支軸10の外周面に筒状の回動体11を回動自在に嵌合し、同回動体11にリール支持枠体12を取り付け、同リール支持枠体12の外周部に巻回支持体13を設けて、同巻回支持体13の外周面に回動支軸10を中心に吸水ホース14を巻回した状態にて支持できるようにすると共に、同リール支持枠体12に、巻回支持体13の外周面に沿って螺旋状に配置したガイド体15を設け、上記巻回支持体13の後部下方位置にはホース導出・入機構16を配設している。
【００１７】
そして、ガイド体15は、図３〜図５に示すように、巻回支持体13の外周面に沿って螺旋状に配置して、同巻回支持体13上に複数列（本実施例では三列）のホース巻回路17,17,17を形成しており、同ガイド体15には、図７に示すように、部分的に螺旋の傾斜角を大きく形成した巻回路変更部15a,15a,15aを形成して、各巻回路変更部15a,15a,15aを介して吸水ホース14のホース巻回路17の変更が円滑かつ確実に行えるようにして、同吸水ホース14を巻回支持体13の外周面に一重の螺旋状に巻回できるようにしている。
【００１８】
また、リール支持枠体12の中央部には剛性のホース接続管18の基端部を取り付けると共に、同ホース接続管18と回動支軸10とを連通させており、同ホース接続管18の先端開口部18aは、最外側に位置するホース巻回路17の始端部17aに臨ませて、同先端開口部18aに可撓性の吸水ホース14の基端部を連通連結している。
【００１９】
ホース導出・入機構16は、図５〜図７に示すように、リール支持枠体12の左右幅よりも広幅に間隔を開けて左右一対のレール支持体20,20を対向状態に配置し、両レール支持体20,20の下部間に左右方向に伸延し、かつ、回動支軸10と平行する前後一対のガイドレール21,21を横架し、両ガイドレール21,21にスライド体22を回動支軸10と平行する左右方向にスライド自在に取り付けている。
【００２０】
そして、スライド体22にはホース導出・入ガイド片23を設けており、同ホース導出・入ガイド片23は、上下方向に伸延する左右一対の側方ガイド片23a,23aを吸水ホース14の外径よりもやや広幅に間隔を開けて配置し、両側ガイド片23a,23aの上端間に左右方向に伸延する上部ガイド片23bを横架して、同上部ガイド片23bより巻回支持体13に向けて左右一対の当接片23c,23cを伸延させて、両当接片23c,23cを左右方向に隣接するガイド体15,15間に配置すると共に、両当接片23c,23cのいずれか一方がガイド体15に側方から当接するようにしている。
【００２１】
しかも、左右一対の左右側ガイド片23a,23aの間で上部ガイド片23bの下方に形成される空間内に吸水ホース14を挿通し、同状態にて、吸水ホース14の先端部に係止片14aと吸水網体14bとを取り付けて、係止片14aが左右側ガイド片23a,23aに係止されたところで巻き取りが終了するようにしている。
【００２２】
また、図３及び図４に示すように、前記した回動体11の外周面に入力プーリ24を設ける一方、同回動体11に上方位置には電動式の巻き取り駆動用モータ25を配設して、同巻き取り駆動用モータ25の駆動軸25aに出力プーリ26を取り付けて、同出力プーリ26と上記入力プーリ24との間に駆動ベルト27を巻回している。
【００２３】
ここで、図２に示す29は、巻き取り駆動用モータ25の始動スイッチであり、また、30は、巻き取り駆動用モータ25の停止スイッチである。
【００２４】
本発明に係るホースリールＲの実施例は上記のように構成しているものであり、以下にかかるホースリールＲにより吸水ホース14を巻き取り作業する際の手順等について説明する。
【００２５】
（１）作業者が始動スイッチ29を押して、巻き取り駆動用モータ25を駆動させることにより、駆動軸25aを正回動（図３に示す側面視にて反時計廻りの回動）させると、その回動力が出力プーリ26→駆動ベルト27→入力プーリ24→回動体11→リール支持枠体12及びホース接続管18→巻回支持体13及び吸水ホース14に伝達される。
【００２６】
（２）ホース接続管18の回動により吸水ホース14の基端部が最外側に位置するホース巻回路17の始端部17aより引き込まれる。
【００２７】
（３）吸水ホース14の基端部側がガイド体15に沿って最外側に位置するホース巻回路17に巻回される。
【００２８】
（４）吸水ホース14の中途部がガイド体15に形成した巻回路変更部15aに沿って巻回されて、最外側のホース巻回路17からその内側方に隣接するホース巻回路17に変更される。
【００２９】
（５）吸水ホース14の中間部がガイド体15に沿って中間に位置するホース巻回路17に巻回される。
【００３０】
（６）吸水ホース14の中途部がガイド体15に形成した巻回路変更部15aに沿って巻回されて、中間のホース巻回路17からその内側方に隣接する最内側のホース巻回路17に変更される。
【００３１】
（７）吸水ホース14の先端部側がガイド体15に沿って最内側に位置するホース巻回路17に巻回される。
【００３２】
（８）吸水ホース14の先端部に取り付けた係止片14aが左右側ガイド片23a,23aに係止されたところで、作業者が停止スイッチ30を押して、巻き取り駆動用モータ25を駆動停止させることにより、巻き取り作業を終了する。
【００３３】
このようにして、回動支軸10を介して巻回支持体13とホース接続管18を回動させることにより、スライド体22のホース導出・入ガイド片23を介して導入される吸水ホース14を、螺旋状に配置されたガイド体15に沿わせて巻回支持体13の外周面に一重に巻回することができる。
【００３４】
そして、吸水ホース14がガイド体15に沿って巻回支持体13の外周面に巻回される際には、スライド体22に設けた左右一対の当接片23c,23cの内の右側方の当接片23cが、ガイド体15に内側方から当接すると、同ガイド体15にガイドされてスライド体22が回動支軸10と平行に内側方にスライドする。
【００３５】
この際、かかるスライド体22に吸水ホース14を導入ガイドするホース導出・入ガイド片23を設けて、同ホース導出・入ガイド片23を吸水ホース14が巻回支持体13に巻回される位置に対向させて配置することができるため、同吸水ホース14を円滑かつ確実に巻き取ることができる。
【００３６】
また、反対に、吸水ホース14を引き出す際には、吸水ホース14の先端部を引っ張ることにより、巻回支持体13からホース導出・入ガイド片23を通して吸水ホース14を繰り出すことができる。
【００３７】
そして、吸水ホース14がガイド体15に沿って巻回支持体13の外周面から引き出される際には、スライド体22に設けた左右一対の当接片23c,23cの内の左側方の当接片23cが、ガイド体15に内側方から当接すると、同ガイド体15にガイドされてスライド体22が回動支軸10と平行に外側方へスライドする。
【００３８】
この際、かかるスライド体22に吸水ホース14を導入ガイドするホース導出・入ガイド片23を設けて、同ホース導出・入ガイド片23を吸水ホース14が巻回支持体13に巻回される位置に対向させて配置することができるため、同吸水ホース14を円滑かつ確実に引き出すことができる。
【００３９】
【発明の効果】
（１）請求項１記載の本発明では、ホースリールは、消防用ポンプの吸入口に接続した中空の回動支軸と、同回動支軸を中心に吸水ホースを巻回した状態にて支持する巻回支持体と、同巻回支持体の外周面に沿って螺旋状に配置したガイド体と、同ガイド体にガイドされて回動支軸と平行にスライドするスライド体とを具備し、スライド体にホース導出・入ガイド片を設けて、同ホース導出・入ガイド片を介して吸水ホースをガイド体に沿わせて導出・入するようにしている。
【００４０】
このようにして、回動支軸を介して巻回支持体を回動させることにより、スライド体のホース導出・入ガイド片を介して導入される吸水ホースを、螺旋状に配置されたガイド体に沿わせて巻回支持体の外周面に一重に巻回することができる。
【００４１】
この際、吸水ホースがガイド体に沿って巻回支持体の外周面に巻回される動作と、スライド体がガイド体にガイドされて回動支軸と平行にスライドする動作とが連動しており、かかるスライド体に吸水ホースを導入ガイドするホース導出・入ガイド片を設けているため、同ホース導出・入ガイド片を吸水ホースが巻回支持体に巻回される位置に対向させて配置することができて、同吸水ホースを円滑かつ確実に巻き取ることができる。
【００４２】
また、反対に、吸水ホースを引き出す際には、吸水ホースの先端部を引っ張ることにより、巻回支持体からホース導出・入ガイド片を通して吸水ホースを繰り出すことができる。
【００４３】
この際、吸水ホースがガイド体に沿って巻回支持体の外周面から繰り出される動作と、スライド体がガイド体にガイドされて回動支軸と平行にスライドする動作とが連動しており、かかるスライド体に吸水ホースを導入ガイドするホース導出・入ガイド片を設けているため、同ホース導出・入ガイド片を吸水ホースが巻回支持体から繰り出される位置に対向させて配置することができて、同吸水ホースを円滑かつ確実に繰り出すことができる。
【００４４】
（２）請求項２記載の本発明では、ガイド体は、巻回支持体の外周面に沿って螺旋状に配置すると共に、同ガイド体には部分的に螺旋の傾斜角を大きく形成した巻回路変更部を形成して、同巻回路変更部を介して吸水ホースを巻回支持体の外周面に一重の螺旋状に巻回するようにしている。
【００４５】
このようにして、吸水ホースをガイド体に沿わせて巻回支持体の外周面に一重の螺旋状に巻回することができるため、巻き取られる吸水ホースがホース収納室の天井部や床部に干渉するという不具合の発生を防止することができると共に、巻回支持体の外周面に巻回されている吸水ホースの外径も一定であるため、同吸水ホースを繰り出す作業も円滑かつ確実に行うことができる。
【図面の簡単な説明】
【図１】本発明に係るホースリールを具備する消防自動車の後半部の側面図。
【図２】同消防自動車の背面図。
【図３】ホースリールの側面図。
【図４】同ホースリールの背面図。
【図５】ホース導出・入機構の背面図。
【図６】図５のＸ部の拡大説明図。
【図７】ガイド体の説明図。
【符号の説明】
Ａ  消防自動車
１  車体フレーム
２  運転部
３  消防機能部
４  後車輪
５  ポンプ室
６  ホースリール室
【図１】
2004202095.tif 000003
【図２】
2004202095.tif 000004
【図３】
2004202095.tif 000005
【図４】
2004202095.tif 000006
【図５】
2004202095.tif 000007
【図６】
2004202095.tif 000008
【図７】
2004202095.tif 000009